(57)【要約】      （修正有）【課題】簡単・コンパクトな構成でありながら、複数波長のビーム整形と光軸に対する傾き補正・位置ズレ補正により、良好な信号が得られる、光ピックアップ装置を提供する。【解決手段】３波長・１レンズタイプの光ピックアップ装置１０であって、対物レンズ８とレーザ光源１ａ，１ｂとの間の光路中に、各レーザビームＢ１〜Ｂ３を透過面７ａから入射させ、透過面７ａに対して非平行な反射面７ｂで反射させ、透過面７ａから出射させることにより、各波長のレーザビームＢ１〜Ｂ３の光強度分布を楕円形状から円形状に変換するビーム整形ミラー７を備える。ビーム整形ミラー７は、台形状の断面を有する充填状態で透過面７ａと反射面７ｂを構成する液晶７ｃで構成されている。ビーム整形ミラー７に入射するレーザビームＢ１〜Ｂ３の波長にかかわらず液晶７ｃの屈折率が一定に保たれるように、液晶７ｃを電気的に駆動する液晶駆動源１１を備える。【選択図】図１
2008117476.tif 000002
【特許請求の範囲】
【請求項１】
青色レーザビーム，赤色レーザビーム及び赤外レーザビームをそれぞれ出射する３つのレーザ光源と１つの対物レンズとで使用波長の異なる３種類の光ディスクに対応する、３波長・１レンズタイプの光ピックアップ装置であって、
前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが台形状の断面を有する充填状態で前記透過面と反射面を構成する液晶で構成されており、前記ビーム整形ミラーに入射するレーザビームの波長にかかわらず前記液晶の屈折率が一定に保たれるように、前記液晶を電気的に駆動する液晶駆動源を備え、その液晶駆動源のＯＦＦ状態での青色レーザビームに対する屈折率に赤色レーザビーム及び赤外レーザビームに対する屈折率を合わせるように前記液晶駆動源をＯＮ状態で調整するか、液晶駆動源のＯＦＦ状態での赤色レーザビームに対する屈折率に青色レーザビーム及び赤外レーザビームに対する屈折率を合わせるように前記液晶駆動源をＯＮ状態で調整するか、あるいは液晶駆動源のＯＦＦ状態での赤外レーザビームに対する屈折率に青色レーザビーム及び赤色レーザビームに対する屈折率を合わせるように前記液晶駆動源をＯＮ状態で調整することを特徴とする光ピックアップ装置。
【請求項２】
互いに異なる波長のレーザビームを出射する複数のレーザ光源と１つの対物レンズとで使用波長の異なる複数種類の光ディスクに対応する、複数波長・１レンズタイプの光ピックアップ装置であって、
前記対物レンズと複数のレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが所定の充填状態で前記透過面と反射面を構成する液晶で構成されており、前記ビーム整形ミラーに入射するレーザビームの波長にかかわらず前記液晶の屈折率が一定に保たれるように、前記液晶が電気的に駆動されることを特徴とする光ピックアップ装置。
【請求項３】
前記ビーム整形ミラーが、台形状の断面を有する充填状態で前記透過面と反射面を構成する液晶で構成されていることを特徴とする請求項２記載の光ピックアップ装置。
【請求項４】
前記液晶を電気的に駆動する液晶駆動源を備え、その液晶駆動源のＯＦＦ状態での特定波長に対する屈折率を基準屈折率として、その基準屈折率に他の波長に対する屈折率を合わせるように、前記液晶駆動源をＯＮ状態で調整することを特徴とする請求項２又は３記載の光ピックアップ装置。
【請求項５】
前記複数のレーザ光源から出射されるレーザビームが、青色レーザビームと赤色レーザビームであることを特徴とする請求項２〜４のいずれか１項に記載の光ピックアップ装置。
【発明の詳細な説明】
【技術分野】
【０００１】
本発明は光ピックアップ装置に関するものであり、例えば、ＣＤ(compact disc)，ＤＶＤ(digital versatile disc)，ＢＤ(Blu-ray Disc等：青色レーザビームを用いる高密度光ディスク)等の複数の光ディスクに対応した光ピックアップ装置に関するものである。
【背景技術】
【０００２】
例えば、１つの対物レンズで使用波長の異なる複数種類の光ディスク(例えば、ＣＤ，ＤＶＤ，ＢＤ)に対応する、複数波長・１レンズタイプの光ピックアップ装置においては、いずれの光ディスクからも十分な再生信号が得られるようにしようとすると、対物レンズで形成されるビームスポットを径の小さい円形にする必要がある。また、すべてのレーザビームが対物レンズに対して同じ光路で入射するように、光軸に対する傾きと位置ズレを補正する必要もある。
【０００３】
スポット形状に関しては、レーザビームを楕円ビームから円形ビームに変換するビーム整形素子(例えば、プリズムやシリンドリカルレンズ)を用いて、リム強度(すなわち、対物レンズに入射する光束の周辺強度比)の補正を行う光ピックアップ装置が特許文献１等で提案されている。レーザビームの光路に関しては、ビーム整形機能を有するプリズムで対物レンズに対する光路を合成する２波長・１レンズタイプの光ピックアップ装置が特許文献２〜４で提案されている。それらのプリズムは、一方の波長のレーザビームを透過させ、かつ、他方の波長のレーザビームを反射させる面を有しており、その面で光路を合成する構成になっている。また、対物レンズに入射させるレーザビームを補正する手段として、所定の屈折率分布で波面補正を行う液晶素子から成る立ち上げミラーを用いた光ピックアップ装置が特許文献５で提案されており、屈折率が電気的に制御可能な可変焦点型液晶素子を立ち上げミラー近傍に用いた光ピックアップ装置が特許文献６で提案されている。
【特許文献１】特開２００５−３０９３５１号公報
【特許文献２】特開２０００−９９９７８号公報
【特許文献３】特開２００２−２０８１６３号公報
【特許文献４】特開２００３−３０８８７号公報
【特許文献５】特開２００５−１２２８７８号公報
【特許文献６】特開２００６−１５５８２７号公報
【発明の開示】
【発明が解決しようとする課題】
【０００４】
しかしながら、特許文献１で提案されているようなビーム整形素子を各波長について配置すると、光ピックアップ装置の光学系全体の大型化や複雑化を招いてしまう。また、特許文献２〜４で提案されている２波長・１レンズタイプの光ピックアップ装置の場合、プリズムの光路を合成する面で反射する波長のレーザビームはビーム整形されない。つまり、１波長のビーム整形しか行うことができず、他の波長のレーザ光源には高い出力が必要となる。特許文献５，６で提案されている光ピックアップ装置の場合、液晶素子の屈折率分布や屈折力を変化させる構成になっているため、液晶素子で対物レンズに対する光路を合成することはできない。
【０００５】
本発明はこのような状況に鑑みてなされたものであって、その目的は、簡単かつコンパクトな構成でありながら、複数波長のビーム整形と光軸に対する傾き補正・位置ズレ補正により、良好な信号が得られる光ピックアップ装置を提供することにある。
【課題を解決するための手段】
【０００６】
上記目的を達成するために、第１の発明の光ピックアップ装置は、青色レーザビーム，赤色レーザビーム及び赤外レーザビームをそれぞれ出射する３つのレーザ光源と１つの対物レンズとで使用波長の異なる３種類の光ディスクに対応する、３波長・１レンズタイプの光ピックアップ装置であって、前記対物レンズと３つのレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが台形状の断面を有する充填状態で前記透過面と反射面を構成する液晶で構成されており、前記ビーム整形ミラーに入射するレーザビームの波長にかかわらず前記液晶の屈折率が一定に保たれるように、前記液晶を電気的に駆動する液晶駆動源を備え、その液晶駆動源のＯＦＦ状態での青色レーザビームに対する屈折率に赤色レーザビーム及び赤外レーザビームに対する屈折率を合わせるように前記液晶駆動源をＯＮ状態で調整するか、液晶駆動源のＯＦＦ状態での赤色レーザビームに対する屈折率に青色レーザビーム及び赤外レーザビームに対する屈折率を合わせるように前記液晶駆動源をＯＮ状態で調整するか、あるいは液晶駆動源のＯＦＦ状態での赤外レーザビームに対する屈折率に青色レーザビーム及び赤色レーザビームに対する屈折率を合わせるように前記液晶駆動源をＯＮ状態で調整することを特徴とする。
【０００７】
第２の発明の光ピックアップ装置は、互いに異なる波長のレーザビームを出射する複数のレーザ光源と１つの対物レンズとで使用波長の異なる複数種類の光ディスクに対応する、複数波長・１レンズタイプの光ピックアップ装置であって、前記対物レンズと複数のレーザ光源との間の光路中に、各レーザビームを透過面から入射させ、前記透過面に対して非平行な反射面で反射させ、前記透過面から出射させることにより、各波長のレーザビームの光強度分布を楕円形状から円形状に変換するビーム整形ミラーを備えており、そのビーム整形ミラーが所定の充填状態で前記透過面と反射面を構成する液晶で構成されており、前記ビーム整形ミラーに入射するレーザビームの波長にかかわらず前記液晶の屈折率が一定に保たれるように、前記液晶が電気的に駆動されることを特徴とする。
【０００８】
第３の発明の光ピックアップ装置は、上記第２の発明において、前記ビーム整形ミラーが、台形状の断面を有する充填状態で前記透過面と反射面を構成する液晶で構成されていることを特徴とする。
【０００９】
第４の発明の光ピックアップ装置は、上記第２又は第３の発明において、前記液晶を電気的に駆動する液晶駆動源を備え、その液晶駆動源のＯＦＦ状態での特定波長に対する屈折率を基準屈折率として、その基準屈折率に他の波長に対する屈折率を合わせるように、前記液晶駆動源をＯＮ状態で調整することを特徴とする。
【００１０】
第５の発明の光ピックアップ装置は、上記第２〜第４のいずれか１つの発明において、前記複数のレーザ光源から出射されるレーザビームが、青色レーザビームと赤色レーザビームであることを特徴とする。
【発明の効果】
【００１１】
本発明に係る複数波長・１レンズタイプの光ピックアップ装置は、ビーム整形ミラーが所定の充填状態で透過面と反射面を構成する液晶で構成されており、ビーム整形ミラーに入射するレーザビームの波長にかかわらず液晶の屈折率が一定に保たれるように、液晶が電気的に駆動される構成になっているので、部品点数を増加させることなく、複数波長すべてのレーザビームが対物レンズに対して同じ光路で入射するように、液晶の屈折率制御によって光軸に対する傾きと位置ズレを補正することができる。これにより、リム強度の高い良好なビームスポットを円形に近い光強度分布で十分に絞り込むことが、複数波長について可能となる。また、シリンドリカルレンズ等のビーム整形素子を各波長について配置する場合に比べると、光学系全体をより小さく簡単に構成することができる。したがって、簡単かつコンパクトな構成でありながら、複数波長のビーム整形と光軸に対する傾き補正・位置ズレ補正により、良好な信号(例えば、記録信号，再生信号)を得ることが可能である。
【００１２】
ビーム整形ミラーを液晶で構成し、その液晶が台形状の断面を有する充填状態で透過面と反射面を構成するようにすれば、光ピックアップ装置の小型化をより効果的に達成することができる。また、液晶を電気的に駆動する液晶駆動源を設け、その液晶駆動源のＯＦＦ状態での特定波長に対する屈折率を基準屈折率として、その基準屈折率に他の波長に対する屈折率を合わせるように、液晶駆動源をＯＮ状態で調整すれば、より簡単な制御構成で光軸に対する傾き補正・位置ズレ補正を効果的に行うことができる。
【００１３】
どの使用波長でも液晶の屈折率は同一であるため、複数の光ディスクに対する互換性を確保することができる。例えば、２つのレーザ光源から出射されるレーザビームとして、青色レーザビームと赤色レーザビームを用いれば、ＤＶＤ，ＢＤの２種類の光ディスクに対応することができ、３つのレーザ光源から出射されるレーザビームとして、青色レーザビーム，赤色レーザビーム及び赤外レーザビームを用いれば、ＣＤ，ＤＶＤ，ＢＤの３種類の光ディスクに対応することができる。
【発明を実施するための最良の形態】
【００１４】
以下、本発明に係る光ピックアップ装置の実施の形態等を、図面を参照しつつ説明する。図１に、光ピックアップ装置の一実施の形態の概略構成を模式的に示す。この光ピックアップ装置１０は、発振波長の異なる３つのレーザ光源(赤色／赤外用の２波長半導体レーザ１ａに搭載されている２つの光源と青色用の半導体レーザ１ｂに搭載されている１つの光源とから成る。)と１つの対物レンズ８とで、使用波長の異なる３種類の光ディスク９に対応する、３波長・１レンズタイプの光ピックアップ装置であり、３種類の光ディスク９のいずれに対しても情報の記録／再生を行うことが可能な構成になっている。
【００１５】
ここで想定している３種類の光ディスク９とは、例えば、青色レーザ対応(波長４０５ｎｍ)の第１の光ディスク(青色レーザビームを用いる高密度光ディスク；基板厚０．１ｍｍ，ＮＡ＝０．８５)，赤色レーザ対応(波長６５０ｎｍ)の第２の光ディスク(ＤＶＤ；基板厚０．６ｍｍ，ＮＡ＝０．６〜０．６５)，赤外レーザ対応(波長７８０ｎｍ)の第３の光ディスク(ＣＤ；基板厚１．２ｍｍ，ＮＡ＝０．４５〜０．５)である。ただし、その使用波長はこれらに限るものではない。また、その適用対象も光ディスクに限らず、光ディスク以外の光情報記録媒体に対しても本発明は適用可能である。
【００１６】
図１に示す光ピックアップ装置１０は、赤色／赤外用の２波長半導体レーザ１ａ，青色用の半導体レーザ１ｂ，ダイクロイックプリズム２，コリメートレンズ３，ビームスプリッター４，集光レンズ５，光検出器６，ビーム整形ミラー７，対物レンズ８等で構成されている。この光ピックアップ装置１０の光学構成を光路に沿って以下に説明する。
【００１７】
光ピックアップ１０は、前述したように、赤色／赤外用の２波長半導体レーザ１ａに搭載されている２つの光源と、青色用の半導体レーザ１ｂに搭載されている１つの光源と、をレーザ光源として有している。そして、３つのレーザ光源のいずれか１つが点灯することにより出射した青色レーザビームＢ１，赤色レーザビームＢ２又は赤外レーザビームＢ３で、対応する光ディスク９に対する光情報の記録又は再生が行われる。
【００１８】
半導体レーザ１ａ又は１ｂから出射したレーザビームＢ１，Ｂ２又はＢ３は、ダイクロイックプリズム２に入射する。ダイクロイックプリズム２は、青色，赤色，赤外の各レーザビームＢ１〜Ｂ３の光路を合成する光路合成素子である。したがって、半導体レーザ１ｂから出射した青色レーザビームＢ１は、ダイクロイックプリズム２を透過し、半導体レーザ１ａから出射した赤色レーザビームＢ２又は赤外レーザビームＢ３は、ダイクロイックプリズム２で反射されることにより、各レーザビームＢ１〜Ｂ３の光路が合成される。
【００１９】
ダイクロイックプリズム２を出射したレーザビームＢ１，Ｂ２又はＢ３は、コリメートレンズ３で平行光となった後、その一部がビームスプリッター４を透過する。ビームスプリッター４は、各半導体レーザ１ａ，１ｂから光ディスク９への光路と光ディスク９から光検出器６への光路との分岐を行う光路分岐素子であり、入射光を透過光と反射光とに光量を２分割するハーフミラーとして機能する。
【００２０】
ビームスプリッター４を透過したレーザビームＢ１，Ｂ２又はＢ３は、ビーム整形ミラー７に入射する。ビーム整形ミラー７は、各レーザビームＢ１，Ｂ２又はＢ３を透過面７ａから入射させ、透過面７ａに対して非平行な反射面７ｂで反射させ、透過面７ａから出射させる。またビーム整形ミラー７は、台形状の断面を有する充填状態で透過面７ａと反射面７ｂを構成する液晶７ｃで構成されている。各波長のレーザビームＢ１，Ｂ２又はＢ３は、ビーム整形ミラー７の立ち上げミラーとしての機能により光路が対物レンズ８に向けて略９０°折り曲げられるとともに、ビーム整形機能により光強度分布が楕円形状から円形状に変換される。このビーム整形ミラー７の詳細に関しては後述する。
【００２１】
ビーム整形ミラー７を出射したレーザビームＢ１，Ｂ２又はＢ３は、対物レンズ８で集光されて、光ディスク９の記録面に到達し結像する。情報再生時に光ディスク９の記録面で反射されたレーザビームＢ１，Ｂ２又はＢ３は、対物レンズ８を通過し、ビーム整形ミラー７で反射された後、その一部がビームスプリッター４で反射される。ビームスプリッター４で反射されたレーザビームＢ１，Ｂ２又はＢ３は、集光レンズ５で集光されて光検出器６の受光面に到達し結像する。光検出器６は、受光したレーザビームＢ１，Ｂ２又はＢ３の光情報を検出し電気信号として出力する。
【００２２】
一般に、レーザビームを楕円ビームから円形ビームに変換するビーム整形には、楕円ビーム断面の短軸方向にビーム径を拡大するタイプと、楕円ビーム断面の長軸方向にビーム径を縮小するタイプと、がある。図１に示す光ピックアップ装置１０は、楕円ビーム断面の短軸方向にビーム径を拡大するタイプのビーム整形を採用している。ただし、ビーム整形ミラー７の配置を変更することにより、楕円ビーム断面の長軸方向にビーム径を縮小するタイプを光ピックアップ装置１０に採用することも可能である。図２(Ａ)に、楕円ビーム断面の短軸方向にビーム径を拡大する場合のビーム整形ミラー７の配置とそのときの光路を示し、図２(Ｂ)に、楕円ビーム断面の長軸方向にビーム径を縮小する場合のビーム整形ミラー７の配置とそのときの光路を示す。
【００２３】
図２(Ａ)(Ｂ)に示すいずれのタイプでビーム整形を行った場合でも、透過面７ａと反射面７ｂとが成す角度，間隔等を所定の大きさに調整することにより、レーザビームの光強度分布を楕円形状から理想的な円形状に変換することができる。したがって、リム強度の高い良好なビームスポットを光ディスク９の記録面上に形成することが可能である。なお、反射面７ｂの反射機能は、例えば、金属膜，誘電体多層膜により得ることができる。
【００２４】
従来より知られている一般的なプリズム型のビーム整形素子では、互いに非平行な透過面と反射面を有する透明部材でビーム整形が行われる。このため、透過面に入射したレーザビームは透明部材の分散特性によって波長毎に異なった角度で屈折することになる。例えば、図３(Ａ)に示すように透明部材７ｘに対し青色レーザ光線Ｌ１と赤色レーザ光線Ｌ２が同じ入射角度で入射した場合、赤色レーザ光線Ｌ２に対する屈折率よりも青色レーザ光線Ｌ１に対する屈折率の方が大きいため、光線入射時の透過面７ａでの屈折角の差(つまり分散特性)によって透明部材７ｘから出射する光線Ｌ１，Ｌ２の方向と位置に差が生じてしまう。その結果として、青色レーザ光線Ｌ１と赤色レーザ光線Ｌ２の両方が対物レンズ８(図１)に対して同じ光路で入射するように、対物レンズ８の光軸ＡＸに対する傾きと位置ズレを補正しなければならなくなる。この実施の形態では、ビーム整形ミラー７に透過面７ａと反射面７ｂを構成する液晶７ｃを用いることによりこの問題点を解決している。
【００２５】
光ピックアップ装置１０は、図１に示すように、ビーム整形ミラー７に入射するレーザビームＢ１，Ｂ２，Ｂ３の波長にかかわらず液晶７ｃの屈折率が一定に保たれるように、液晶７ｃを電気的に駆動する液晶駆動源１１を備えている。液晶７の透過面７ａと反射面７ｂには、図２に示すように透明電極Ｔが形成されている。その透明電極Ｔを介して駆動源１１から液晶７ｃに印加する電圧を調整することにより、液晶７ｃの屈折率がどのレーザビームＢ１，Ｂ２，Ｂ３に対しても同じになるようにすることができる。
【００２６】
例えば、図３(Ｂ)に示す青色レーザ光線Ｌ１に対する屈折率ｎ１と、図３(Ｃ)に示す赤色レーザ光線Ｌ２に対する屈折率ｎ２と、が同じであれば、分散は生じない。つまり、透過面７ａに入射角αで入射した青色レーザ光線Ｌ１，赤色レーザ光線Ｌ２は、両方とも同じ屈折角βで屈折することになる(７ｎ：透過面７ａの法線)。その結果、青色レーザ光線Ｌ１，赤色レーザ光線Ｌ２は、両方とも同じ光路でビーム整形ミラー７を出射する。したがって、対物レンズ８の光軸ＡＸに対する各レーザ光線Ｌ１，Ｌ２の傾きと位置にズレは生じない。
【００２７】
青色レーザ光線Ｌ１に対する屈折率ｎ１と、赤色レーザ光線Ｌ２に対する屈折率ｎ２と、を同じにするには、青色レーザ光線Ｌ１を使用するときと赤色レーザ光線Ｌ２を使用するときとで、異なった電圧を液晶７ｃに印加するようにすればよい。また、液晶駆動源１１のＯＦＦ状態での青色レーザ光線Ｌ１に対する屈折率ｎ１に、赤色レーザ光線Ｌ２に対する屈折率ｎ２を合わせるように液晶駆動源１１をＯＮ状態で調整するか、あるいは液晶駆動源１１のＯＦＦ状態での赤色レーザ光線Ｌ２に対する屈折率ｎ２に、青色レーザ光線Ｌ１に対する屈折率ｎ１を合わせるように液晶駆動源１１をＯＮ状態で調整すればよい。
【００２８】
図１に示す光ピックアップ装置１０は３波長に対応しているので、青色レーザビームＢ１を使用するときと、赤色レーザビームＢ２を使用するときと、赤外レーザビームＢ３を使用するときとで、異なった電圧を液晶７ｃに印加するようにすればよい。また、液晶駆動源１１のＯＦＦ状態での青色レーザビームＢ１に対する屈折率に、赤色レーザビームＢ２及び赤外レーザビームＢ３に対する屈折率を合わせるように液晶駆動源１１をＯＮ状態で調整するか、液晶駆動源１１のＯＦＦ状態での赤色レーザビームＢ２に対する屈折率に、青色レーザビームＢ１及び赤外レーザビームＢ３に対する屈折率を合わせるように液晶駆動源１１をＯＮ状態で調整するか、あるいは液晶駆動源１１のＯＦＦ状態での赤外レーザビームＢ３に対する屈折率に青色レーザビームＢ１及び赤色レーザビームＢ２に対する屈折率を合わせるように液晶駆動源１１をＯＮ状態で調整すればよい。
【００２９】
以上説明したように光ピックアップ装置１０は、ビーム整形ミラー７が所定の充填状態で透過面７ａと反射面７ｂを構成する液晶７ｃで構成されており、ビーム整形ミラー７に入射するレーザビームＢ１，Ｂ２，Ｂ３の波長にかかわらず液晶７ｃの屈折率が一定に保たれるように、液晶７ｃが電気的に駆動される構成になっているので、部品点数を増加させることなく、３波長すべてのレーザビームＢ１，Ｂ２，Ｂ３が対物レンズ８に対して同じ光路で入射するように、液晶７ｃの屈折率制御によって光軸ＡＸに対する傾きと位置ズレを補正することができる。これにより、リム強度の高い良好なビームスポットを円形に近い光強度分布で十分に絞り込むことが、３波長について可能となる。また、シリンドリカルレンズ等のビーム整形素子を各波長について配置する場合に比べると、光学系全体をより小さく簡単に構成することができる。したがって、簡単かつコンパクトな構成でありながら、３波長のビーム整形と光軸ＡＸに対する傾き補正・位置ズレ補正により、良好な信号(例えば、記録信号，再生信号)を得ることが可能である。
【００３０】
ビーム整形ミラー７は液晶７ｃで構成されており、その液晶７ｃが台形状の断面を有する充填状態で透過面７ａと反射面７ｂを構成しているので、光ピックアップ装置１０の小型化をより効果的に達成することができる。また、液晶７ｃを電気的に駆動する液晶駆動源１１のＯＦＦ状態での特定波長に対する屈折率を基準屈折率として、その基準屈折率に他の波長に対する屈折率を合わせるように、液晶駆動源１１をＯＮ状態で調整すれば、より簡単な制御構成で光軸ＡＸに対する傾き補正・位置ズレ補正を効果的に行うことができる。
【００３１】
また、どの使用波長でも液晶７ｃの屈折率は同一であるため、複数の光ディスク９に対する互換性を確保することができる。例えば、青色レーザビームＢ１と赤色レーザビームＢ２を用いれば、ＤＶＤ，ＢＤの２種類の光ディスク９に対応することができ、青色レーザビームＢ１，赤色レーザビームＢ２及び赤外レーザビームＢ３を用いれば、ＣＤ，ＤＶＤ，ＢＤの３種類の光ディスク９に対応することができる。
【図面の簡単な説明】
【００３２】
【図１】光ピックアップ装置の一実施の形態を示す模式図。
【図２】ビーム整形ミラーの断面及び光路を示す図。
【図３】ビーム整形ミラーでの光軸に対する傾き補正・位置ズレ補正を説明するための光路図。
【符号の説明】
【００３３】
Ｂ１    青色レーザビーム
Ｂ２    赤色レーザビーム
Ｂ３    赤外レーザビーム
Ｌ１    青色レーザ光線
Ｌ２    赤色レーザ光線
１ｂ    青色用の半導体レーザ
１ａ    赤色／赤外用の半導体レーザ
７    ビーム整形ミラー
７ａ    透過面
７ｂ    反射面
７ｃ    液晶
７ｎ    法線
Ｔ    透明電極
８    対物レンズ
９    光ディスク
１０    光ピックアップ装置
１１    液晶駆動源
ＡＸ    光軸
【図１】
2008117476.tif 000003
【図２】
2008117476.tif 000004
【図３】
2008117476.tif 000005